(57)【要約】【課題】印刷画像の色を精度良く再現したプルーフ画像を表示することができる画像変換装置および画像変換プログラムを提供する。【解決手段】画像データに基づいて画像を印刷する印刷システムで印刷される印刷画像を表した、印刷システム用の印刷画像データを取得する画像データ取得部と、印刷画像データを、画像データに基づいて画像を表示画面に表示する表示システムで印刷画像が再現されるように表示システム用の表示画像データに変換するデータ変換部と、印刷画像の色と、印刷画像が表示システムで再現された再現画像の色とが目視で比較される比較環境が該印刷画像と該再現画像との間に見た目の色の差を生じさせる程度を指定する指定操作を受け付ける程度指定受付部と、データ変換部によるデータ変換を、指定操作で指定された程度に基づいて、印刷画像の色と再現画像の色が比較環境中で同じ色に見えるように調整する変換調整部とを備えた。【選択図】        図５
2009117991.tif 000002
【特許請求の範囲】
【請求項１】
画像データに基づいて画像を印刷する印刷システムで印刷される印刷画像を表した、該印刷システム用の印刷画像データを取得する画像データ取得部と、
前記印刷画像データを、画像データに基づいて画像を表示画面に表示する表示システムで前記印刷画像が再現されるように該表示システム用の表示画像データに変換するデータ変換部と、
前記印刷画像の色と、該印刷画像が前記表示システムで再現された再現画像の色とが目視で比較される比較環境が該印刷画像と該再現画像との間に見た目の色の差を生じさせる程度を指定する指定操作を受け付ける程度指定受付部と、
前記データ変換部によるデータ変換を、前記指定操作で指定された程度に基づいて、前記印刷画像の色と前記再現画像の色が前記比較環境中で同じ色に見えるように調整する変換調整部とを備えたことを特徴とする画像変換装置。
【請求項２】
前記印刷画像データが、前記印刷システムに依存した第１の色空間の座標で画像の色を表現した画像データであり、
前記表示画像データが、前記表示システムに依存した第２の色空間の座標で画像の色を表現した画像データであり、
前記データ変換部が、前記第１の色空間の座標とシステムに非依存の第３の色空間の座標とを対応付けた第１の対応関係、該第３の色空間の座標と前記第２の色空間の座標とを対応付けた第２の対応関係、および該第３の色空間上での座標変換を表した変換関係に基づいてデータ変換を行うものであり、
前記変換調整部が、前記変換関係を調整するものであることを特徴とする請求項１記載の画像変換装置。
【請求項３】
前記程度指定受付部が、前記比較環境における複数種類の環境要素それぞれによる、前記印刷画像と前記再現画像との間に見た目の色の差を生じさせる程度を指定する指定操作を、該程度が大きな環境要素から順に受け付けるものであることを特徴とする請求項１または２記載の画像変換装置。
【請求項４】
コンピュータ内で実行され、該コンピュータ上に、
画像データに基づいて画像を印刷する印刷システムで印刷される印刷画像を表した、該印刷システム用の印刷画像データを取得する画像データ取得部と、
前記印刷画像データを、画像データに基づいて画像を表示画面に表示する表示システムで前記印刷画像が再現されるように該表示システム用の表示画像データに変換するデータ変換部と、
前記印刷画像の色と、該印刷画像が前記表示システムで再現された再現画像の色とが目視で比較される比較環境が該印刷画像と該再現画像との間に見た目の色の差を生じさせる程度を指定する指定操作を受け付ける程度指定受付部と、
前記データ変換部によるデータ変換を、前記指定操作で指定された程度に基づいて、前記印刷画像の色と前記再現画像の色が前記比較環境中で同じ色に見えるように調整する変換調整部とを構築することを特徴とする画像変換プログラム。
【発明の詳細な説明】
【技術分野】
【０００１】
本発明は、印刷システム用の画像データを表示システム用の画像データに変換する画像変換装置および画像変換プログラムに関する。
【背景技術】
【０００２】
従来から、印刷の分野においては、パーソナルコンピュータなどを使って画像が編集され、編集画像に基づいてフィルム原版が作成され、フィルム原版に基づいて刷版が作成され、刷版が印刷機に装着されてインキが塗布され、塗布されたインキが印刷用の用紙上に転移されるといった一連の処理を経て印刷画像が生成されている。また、近年では、刷版上に直接画像を焼き付けるＣＴＰ（Ｃｏｍｐｕｔｅｒ  Ｔｏ  Ｐｌａｔｅ）が印刷機内に組み込まれ、熟練した技術を要する製版工程等が自動化されたデジタル印刷機が開発されてきており、少ない部数で多種類の印刷物を作成する小ロット多品種向けの印刷機として需要が高まっている。
【０００３】
ところで、用紙上に印刷を行なう一連の作業は、印刷単位が数百部数といった大掛かりな作業であり、処理時間やコストがかかってしまうため、実際の印刷作業を行う前に、印刷機よりも手軽なプリンタ等で印刷画像を再現したプルーフ画像を作成し、プルーフ画像を使って印刷画像の仕上がりを事前に確認することが行われている。さらに、近年では、キャリブレーションされたモニタ上にプルーフ画像を表示するソフトプルーフが注目されてきている。ソフトプルーフによると、印刷の各工程で手軽に印刷画像のイメージを確認することができるうえ、さらに効率よく損紙の発生を抑えることができる。
【０００４】
しかし、ソフトプルーフでは、精度良くキャリブレーションされたモニタを使用しても、モニタ上に表示されたプルーフ画像の色と、実際に紙上に印刷された印刷画像の色とが合っていないという印象を受けることが多い。
【０００５】
この点に関し、特許文献１には、プルーフ画像の色と印刷画像の色の印象が一致しない原因は、印刷画像上の白色と、モニタに表示されたプルーフ画像上の白色とが合っていないことであるという分析に基づいて、出力デバイスで生成される印刷画像上の白色（実際には、印刷用紙の色）と、モニタ上に表示された白色とを同じ照明光の下で測色し、それらの測色値が一致するようにモニタ用のルックアップテーブルを生成する技術について記載されている。
【特許文献１】特開２００５−９４４００号公報
【発明の開示】
【発明が解決しようとする課題】
【０００６】
しかし、例えば、モニタおよび印刷用紙の種類や、観察場所の違いなどによっても、印刷画像上の白色やモニタ上の白色は変わってしまうため、全ての条件に応じたルックアップテーブルを準備しておくことは現実的に不可能である。
【０００７】
また、紙上に印刷された印刷画像の色と、モニタ上に表示されたプルーフ画像の色の印象が一致しないのは、印刷画像とプルーフ画像それぞれの白色が合っていないことのほかにも、紙とモニタとの光の反射の違いなどといった様々な原因があると考えられる。このため、特許文献１に記載された技術だけでは、印刷画像の色を十分に再現したプルーフ画像を表示することができないという問題がある。
【０００８】
本発明は、上記事情に鑑み、印刷画像の色を精度良く再現したプルーフ画像を表示することができる画像変換装置および画像変換プログラムを提供することを目的とする。
【課題を解決するための手段】
【０００９】
上記目的を達成する本発明の画像変換装置は、画像データに基づいて画像を印刷する印刷システムで印刷される印刷画像を表した、印刷システム用の印刷画像データを取得する画像データ取得部と、
印刷画像データを、画像データに基づいて画像を表示画面に表示する表示システムで印刷画像が再現されるように表示システム用の表示画像データに変換するデータ変換部と、
印刷画像の色と、印刷画像が表示システムで再現された再現画像の色とが目視で比較される比較環境が印刷画像と再現画像との間に見た目の色の差を生じさせる程度を指定する指定操作を受け付ける程度指定受付部と、
データ変換部によるデータ変換を、指定操作で指定された程度に基づいて、印刷画像の色と再現画像の色が比較環境中で同じ色に見えるように調整する変換調整部とを備えたことを特徴とする。
【００１０】
印刷用紙上に印刷された印刷画像の色と、表示画面上に表示された再現画像の色の印象が異なってしまう大きな原因として、例えば、光源や印刷用紙や表示画面の種類による反射光の色や光量の違い、壁の色や観察者の服色による反射光の色の違い、光源の光量の違い、印刷用紙および表示画面の種類による反射率の違いなどというように、比較環境が与える各画像の見え方への影響程度が異なるということが考えられる。
【００１１】
本発明の画像変換装置では、上記分析に基づいて、印刷システムで印刷される印刷画像を表わす印刷画像データが、印刷画像が表示システムで再現された再現画像の色と印刷画像の色が比較環境中で同じ色に見えるように、表示システム用の表示画像データに変換される。このため、実際に印刷された印刷画像の色と、表示画面上に表示された再現画像の色の見た目の印象が異なってしまう不具合を軽減することができ、再現画像を確認しながら印刷画像の色を精度良く補正することができる。また、本発明の画像変換装置によると、比較環境の変化による画像の見え方への影響を抑えることができるため、相互に離れた場所で行われることが多い印刷の各工程において、擬似的に同じ比較環境下で再現画像を確認することができる。
【００１２】
また、本発明の画像変換装置において、印刷画像データが、印刷システムに依存した第１の色空間の座標で画像の色を表現した画像データであり、
表示画像データが、表示システムに依存した第２の色空間の座標で画像の色を表現した画像データであり、
データ変換部が、第１の色空間の座標とシステムに非依存の第３の色空間の座標とを対応付けた第１の対応関係、第３の色空間の座標と第２の色空間の座標とを対応付けた第２の対応関係、および第３の色空間上での座標変換を表した変換関係に基づいてデータ変換を行うものであり、
変換調整部が、上記変換関係を調整するものであることが好ましい。
【００１３】
システムに非依存の第３の色空間上での座標変換を表した変換関係が調整されることによって、印刷画像の色を精度良く再現した再現画像を容易に得ることができる。
【００１４】
また、本発明の画像変換装置において、程度指定受付部が、上記比較環境における複数種類の環境要素それぞれによる、印刷画像と再現画像との間に見た目の色の差を生じさせる程度を指定する指定操作を、その程度が大きな環境要素から順に受け付けるものであることが好ましい。
【００１５】
印刷画像と再現画像との間に見た目の色の差を生じさせる程度が大きな環境要素から順に指定されることによって、データ変換への影響が大きい環境要素による影響の程度を精度良く指定することができ、印刷画像の色再現精度を向上させることができる。
【００１６】
また、上記目的を達成する本発明の画像変換プログラムは、コンピュータ内で実行され、コンピュータ上に、
画像データに基づいて画像を印刷する印刷システムで印刷される印刷画像を表した、印刷システム用の印刷画像データを取得する画像データ取得部と、
印刷画像データを、画像データに基づいて画像を表示画面に表示する表示システムで印刷画像が再現されるように表示システム用の表示画像データに変換するデータ変換部と、
印刷画像の色と、印刷画像が表示システムで再現された再現画像の色とが目視で比較される比較環境が該印刷画像と該再現画像との間に見た目の色の差を生じさせる程度を指定する指定操作を受け付ける程度指定受付部と、
データ変換部によるデータ変換を、指定操作で指定された程度に基づいて、印刷画像の色と再現画像の色が比較環境中で同じ色に見えるように調整する変換調整部とを構築することを特徴とする。
【００１７】
本発明の画像変換プログラムによると、コンピュータ上に、印刷画像の色を精度良く再現したプルーフ画像を表示するための画像表示装置を構築することができる。
【００１８】
尚、画像変換プログラムについては、ここではそれらの基本形態のみを示すのにとどめるが、これは単に重複を避けるためであり、本発明にいう画像変換プログラムには、上記の基本形態のみではなく、前述した画像変換装置の各形態に対応する各種の形態が含まれる。
【００１９】
さらに、本発明の画像変換プログラムがコンピュータシステム上に構築する画像データ取得部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【発明の効果】
【００２０】
本発明によれば、印刷画像の色を精度良く再現したプルーフ画像を表示することができる。
【発明を実施するための最良の形態】
【００２１】
以下、図面を参照して本発明の実施の形態を説明する。
【００２２】
図１は、本発明の一実施形態が組み込まれた表示・印刷システムの全体構成図である。
【００２３】
表示・印刷システム１は、被写体を撮影して撮影画像を取得する撮影工程と、撮影画像を使って印刷画像のイメージを編集する編集工程と、編集した画像を印刷する印刷工程とで構成されるものであり、図１には、撮影工程に設置され、印刷画像を再現したプルーフ画像を表示するパーソナルコンピュータ３０Ｂと、編集工程に設置され、印刷画像を再現したプルーフ画像を表示するパーソナルコンピュータ３０Ｃと、印刷工程に設置され、印刷画像を再現したプルーフ画像を表示するパーソナルコンピュータ３０Ｄと、クライアント側に設置され、印刷画像を再現したプルーフ画像を表示するパーソナルコンピュータ３０Ａと、印刷画像を印刷するための印刷機１０が示されており、それらはインターネット回線２０で接続されている。尚、実際には、表示・印刷システム１には、原稿画像を読み取るカラースキャナや、画像データに基づいて画像をプリント出力するプリンタなども接続されているが、ここでは図示を省いている。パーソナルコンピュータ３０Ａ，３０Ｂ，３０Ｃ，３０Ｄは、本発明にいう表示システムの一例にあたり、印刷機１０は、本発明にいう印刷システムの一例に相当する。
【００２４】
撮影工程では、パーソナルコンピュータ３０Ｂに、図示しないカラースキャナで原稿が読み取られて得られたＲＧＢ色空間の色分解画像データや、パーソナルコンピュータなどを使って作成されたＣＭＹＫ色空間の色分解画像データや、デジタルカメラで被写体が撮影されて得られたＬ＊ａ＊ｂ＊色空間の色分解画像データなどが入力される。入力された色分解データは、撮影工程のパーソナルコンピュータ３０Ｂから編集工程のパーソナルコンピュータ３０Ｃに伝えられる。
【００２５】
編集工程では、オペレータにより、パーソナルコンピュータ３０Ｃを使って撮影工程から送られてきた色分解画像データに基づく電子的な集版が行なわれ、印刷用の画像のページを表わすページ画像データが生成される。ページ画像データには、撮影工程から伝えられた、ＲＧＢ色空間の色分解画像データや、ＣＭＹＫ色空間の色分解画像データや、Ｌ＊ａ＊ｂ＊色空間の色分解画像データなどが混在して含まれている。生成されたページ画像データは、編集工程のパーソナルコンピュータ３０Ｃから印刷工程のパーソナルコンピュータ３０Ｄに伝えられる。
【００２６】
印刷工程では、編集工程から伝えられたページ画像データに基づいて、印刷機１０に合ったデータ形式の印刷画像データが生成される。尚、印刷機１０は、Ｃ，Ｍ，Ｙ，Ｋ４色のインキの組み合わせで色を表現するものであり、ここでは、ＣＭＹＫ色空間の印刷画像データが生成される。生成された印刷画像データは、印刷機１０に送られる前に、撮影工程と編集工程とクライアント側それぞれのパーソナルコンピュータ３０Ａ，３０Ｂ，３０Ｃに伝えられる。
【００２７】
各パーソナルコンピュータ３０Ａ，３０Ｂ，３０Ｃ，３０Ｄでは、ＣＭＹＫ色空間の印刷画像データが各パーソナルコンピュータ３０Ａ，３０Ｂ，３０Ｃ，３０Ｄの表示画面上に表示可能なＲＧＢ色空間の表示画像データに変換され、表示画像データに基づいて、印刷画像を再現したプルーフ画像が表示される。撮影工程、編集工程、印刷工程、およびクライアント側のそれぞれにおけるユーザは、各パーソナルコンピュータ３０Ａ，３０Ｂ，３０Ｃ，３０Ｄ上に表示されたプルーフ画像を使って、印刷画像の色を印刷前に事前確認する。各工程のユーザによって、プルーフ画像の色が予め用意されている色見本の色を再現していないと判断された場合には、印刷工程における印刷画像データに色補正処理が施され、色補正処理後の印刷画像データに基づいて、再度、プルーフ画像が各パーソナルコンピュータ３０Ａ，３０Ｂ，３０Ｃ，３０Ｄ上に表示される。
【００２８】
全ての工程のユーザによって、プルーフ画像の色が色見本の色を再現していることが確認されると、印刷工程のパーソナルコンピュータ３０Ｄから印刷機１０に印刷画像データが伝えられ、印刷機１０において印刷画像が生成される。
【００２９】
このように、表示・印刷システム１によると、印刷画像の色を各工程のユーザが事前に確認することができるため、印刷画像の色を目標の印刷色に調整するために何度も試し刷りを繰り返す作業を省くことができ、処理時間と損紙の発生を抑えることができる。
【００３０】
ここで、表示画面上に表示されたプルーフ画像を使って印刷画像の色を事前に確認するソフトプルーフにおいては、精度良くキャリブレーションされた表示モニタを使用し、表示モニタ上に表示されたプルーフ画像の色を、実際に紙上に印刷された印刷画像の色にぴったりと合わせても、プルーフ画像と印刷画像とを見比べてみると、見た目の色が合っていないという印象を受けるころが多い。その原因として、各パーソナルコンピュータ３０Ａ，３０Ｂ，３０Ｃ，３０Ｄが設置されている観察場所の光がプルーフ画像や印刷画像に映り込む程度の違いなどが考えられる。本実施形態においては、各パーソナルコンピュータ３０Ａ，３０Ｂ，３０Ｃ，３０Ｄが設置された観察場所の環境における色見本やプルーフ画像への影響が考慮されて、印刷画像データが各パーソナルコンピュータ３０Ａ，３０Ｂ，３０Ｃ，３０Ｄ用の表示画像データに変換されることにより、各工程のユーザが擬似的に同じ環境条件下で、印刷機１０で印刷される印刷画像の色が精度良く再現されたプルーフ画像を確認することができる。
【００３１】
以下では、パーソナルコンピュータ３０Ａ，３０Ｂ，３０Ｃ，３０Ｄをまとめてパーソナルコンピュータ３０と称し、各パーソナルコンピュータ３０Ａ，３０Ｂ，３０Ｃ，３０Ｄを個々に説明する場合にのみ符号の後にアルファベットを付加する。
【００３２】
パーソナルコンピュータ３０は、図１に示すように、外観構成上、本体装置３１、その本体装置３１からの指示に応じて表示画面３２ａ上に画像を表示するモニタ表示装置３２、本体装置３１に、キー操作に応じた各種の情報を入力するキーボード３３、および、表示画面３２ａ上の任意の位置を指定することにより、その位置に表示されたアイコン等に応じた指示を入力するマウス３４を備えている。
【００３３】
図２は、パーソナルコンピュータ３０のハードウェア構成図である。
【００３４】
パーソナルコンピュータ３０の本体装置３１の内部には、図２に示すように、各種プログラムを実行するＣＰＵ３０１、ハードディスク装置３０３に格納されたプログラムが読み出されＣＰＵ３０１での実行のために展開される主メモリ３０２、各種プログラムやデータ等が保存されたハードディスク装置３０３、ＦＤ４１が装填され、そのＦＤ４１をアクセスするＦＤドライブ３０４、ＣＤ−ＲＯＭ４２をアクセスするＣＤ−ＲＯＭドライブ３０５、管理サーバ２０から画像データ等を受け取り、管理サーバ２０に各種指示データを送るＩ／Ｏインタフェース３０６が内蔵されており、これらの各種要素と、さらに図１にも示すモニタ表示装置３２、キーボード３３、マウス３４は、バス３０７を介して相互に接続されている。
【００３５】
ここで、ＣＤ−ＲＯＭ４２には、本発明の画像変換プログラムの一実施形態である画像表示プログラム１００（図３参照）が記憶されている。
【００３６】
図３は、ＣＤ−ＲＯＭ４２を示す概念図である。
【００３７】
図３に示すように、ＣＤ−ＲＯＭ４２に記憶された画像表示プログラム１００は、画像取得部１１０、色変換部１２０、条件設定部１３０、プロファイル生成部１４０、および画像表示部１５０で構成されている。
【００３８】
ＣＤ−ＲＯＭ４２は、パーソナルコンピュータ３０のＣＤ−ＲＯＭドライブ３０５に装填され、ＣＤ−ＲＯＭ４２に記憶された画像表示プログラム１００がパーソナルコンピュータ３０にアップロードされてハードディスク装置３０３に記憶される。そして、この画像表示プログラム１００が起動されて実行されることにより、パーソナルコンピュータ３０内に本発明の画像変換装置の一実施形態である画像表示装置２００（図４参照）が構築される。
【００３９】
尚、上記では、画像表示プログラム１００を記憶する記憶媒体としてＣＤ−ＲＯＭ４２が例示されているが、画像表示プログラム１００を記憶する記憶媒体はＣＤ−ＲＯＭに限られるものではなく、それ以外の光ディスク、ＭＯ、ＦＤ、磁気テープなどの記憶媒体であってもよい。また、画像表示プログラム１００は、記憶媒体を介さずに、Ｉ／Ｏインタフェース３０６を介して直接にパーソナルコンピュータ３０に供給されるものであってもよい。
【００４０】
画像表示プログラム１００の各部の詳細については、画像表示装置２００の各部の作用と一緒に説明する。
【００４１】
図４は、画像表示装置２００の機能ブロック図である。
【００４２】
画像表示装置２００は、画像取得部２１０と、色変換部２２０と、条件設定部２３０と、プロファイル生成部２４０と、画像表示部２５０と、保存部２６０とを有している。
【００４３】
画像表示装置２００を構成する、画像取得部２１０と、色変換部２２０と、条件設定部２３０と、プロファイル生成部２４０と、画像表示部２５０は、図３の画像表示プログラム１００を構成する、画像取得部１１０、色変換部１２０、条件設定部１３０、プロファイル生成部１４０、および画像表示部１５０にそれぞれ対応する。
【００４４】
図４の各要素は、コンピュータのハードウェアとそのコンピュータで実行されるＯＳやアプリケーションプログラムとの組合せで構成されているのに対し、図３に示す画像表示プログラム１００の各要素はそれらのうちのアプリケーションプログラムのみにより構成されている点が異なる。
【００４５】
図５は、図４に示す画像表示装置２００において、印刷画像データに基づいたプルーフ画像が表示されるまでの一連の処理の流れを示すフローチャート図である。
【００４６】
以下、図５のフローチャートに従って、図４に示す画像表示装置２００の各要素の動作について説明することによって、図３に示す画像表示プログラム１００の各要素も併せて説明する。
【００４７】
プルーフ画像の表示に先立って、プロファイル生成部２４０では、表示画面３２ａに依存した表示色空間（ＲＧＢ色空間）の座標と、システムに非依存の共通色空間（Ｌ＊ａ＊ｂ＊色空間）の座標とを対応付けたプルーフプロファイルが生成される（図５のステップＳ１）。ＲＧＢ色空間は、本発明にいう第２の色空間の一例にあたり、Ｌ＊ａ＊ｂ＊色空間は、本発明にいう第３の色空間の一例に相当する。プルーフプロファイルは、パーソナルコンピュータ３０のメーカーから提供されることもあるが、ここでは、プルーフプロファイルの基本的な作成方法について説明する。
【００４８】
プルーフプロファイルを生成するときには、ＲＧＢ３色の色データとして、Ｒ，Ｇ，Ｂそれぞれの値を順次変化させた色データを生成し、そのようにして発生させた色データに基づくカラーパッチ画像をモニタ表示装置３２を介して表示画面３２ａ上に表示する。さらに、表示されたカラーパッチ画像を構成する各色パッチを測色計で測色し、測色値であるＬ＊，ａ＊，ｂ＊値を取得してＲ，Ｇ，Ｂ値と対応付ける。こうすることにより、ＲＧＢ３色の色空間上の座標値と共通色空間（Ｌ＊ａ＊ｂ＊色空間）上の座標値との対応関係を表わすプルーフプロファイルが構築される。このプルーフプロファイルは、パーソナルコンピュータ３０Ａ，３０Ｂ，３０Ｃ，３０Ｄに応じてそれぞれ異なる、各パーソナルコンピュータ３０Ａ，３０Ｂ，３０Ｃ，３０Ｄに依存したプロファイルであり、本発明にいう第２の対応関係の一例にあたる。
【００４９】
また、印刷工程のパーソナルコンピュータ３０Ｄから他のパーソナルコンピュータ３０Ａ,３０Ｂ，３０Ｃに、印刷機１０に依存した印刷色空間（ＣＭＹＫ色空間）の座標と、システムに非依存の共通色空間（Ｌ＊ａ＊ｂ＊色空間）の座標とを対応付けた印刷プロファイルが伝えられる。印刷プロファイルは、図４のプロファイル生成部２４０に伝えられる（図５のステップＳ２）。
【００５０】
印刷プロファイルは、印刷工程のパーソナルコンピュータ３０Ｄで生成されたり、印刷機１０のメーカーから提供されるものであり、他のパーソナルコンピュータ３０Ａ,３０Ｂ，３０Ｃでは生成されないが、ここでは基本的な印刷プロファイルの生成方法について簡単に説明する。
【００５１】
印刷プロファイルを生成するときには、プルーファプロファイルとは異なり、印刷機１０に合わせたＣＭＹＫ４色の色データが生成される。印刷工程のパーソナルコンピュータ３０ＤなどでＣ，Ｍ，Ｙ，Ｋそれぞれの値を順次変化させた色データが生成され、色データに基づくカラーパッチ画像が印刷機１０によって印刷される。さらに、印刷されたカラーパッチ画像を構成する各色パッチが測色計で測色され、Ｌ＊，ａ＊，ｂ＊値が取得されてＣ，Ｍ，Ｙ，Ｋ値と対応付けられる。こうすることにより、ＣＭＹＫ４色の色空間上の座標値と共通色空間（Ｌ＊ａ＊ｂ＊色空間）上の座標値との対応関係を表わす印刷プロファイルが構築される。ＣＭＹＫ色空間は、本発明にいう第１の色空間の一例にあたり、印刷プロファイルは、本発明にいう第１の対応関係の一例に相当する。
【００５２】
印刷プロファイルおよびプルーフプロファイルが取得されると、パーソナルコンピュータ３０が設置された場所の環境や、色見本の用紙種類などといった各種観察条件が設定される（図５のステップＳ３）。まず、条件設定部２３０から画像表示部２５０に、観察条件を設定するための設定用画面を表示する指示が伝えられ、画像表示部２５０によって表示画面３２ａ上に予め用意されている設定用画面が表示される。
【００５３】
図６は、設定用画面の一例を示す図である。
【００５４】
図６に示す設定用画面５００は、標準環境条件（この例では、気温２５℃、湿度２５％、所定光量ａの自然光の下で、壁色および観察者の服色が白である状態で表面の反射率ｂの媒体上の画像を観察する）に対する実際の観察条件を設定するものであり、複数種類の観察条件の中から１つの観察条件を選択するためのラジオボタン設定部と、０〜１００までの目盛りのうち各観察条件による画像の色への影響程度を表わす目盛りに操作子をスライドするスライド設定部とが備えられている。ラジオボタン設定部は、観察環境における光源の種類を設定するための光源種類設定部５０１と、色見本が印刷された印刷用紙の表面加工種類を設定するための色見本種類設定部５０２と、表示画面３２ａの種類を設定するためのモニタ種類設定部５０３と、観察環境における壁の色を設定するための壁色設定部５０５と、観察者の服色を設定するための服色設定部５０６とで構成されており、スライド設定部は、光量を指定することによって色見本およびプルーフ画像それぞれへの光の映り込み程度を設定する光量設定バー５１１、表示画面３２ａの表面の反射程度を指定することによってプルーフ画像への光の映り込み程度を設定するモニタ反射設定バー５１２、色見本の表面の反射程度を指定することによって色見本への光の映り込み程度を設定する紙反射設定バー５１３、観察環境における湿度を指定することによって色見本およびプルーフ画像それぞれへの光の映り込み程度を設定する湿度設定バー５１４、および観察環境における温度を指定することによって色見本およびプルーフ画像それぞれへの光の映り込み程度を設定する温度設定バー５１５で構成されている。また、各設定部および各設定バーには、各観察条件を設定するか否かを選択するためのチェックボックス５３０も設けられている。
【００５５】
ラジオボタン設定部を構成する光源種類設定部５０１、色見本種類設定部５０２、モニタ種類設定部５０３、壁色設定部５０５、および服色設定部５０６は、光源や色見本やモニタの種類、および壁や観察者の服の色などを設定することによって、プルーフ画像および色見本それぞれに対する見え方への影響の程度を間接的に設定するためのものであり、スライド設定部を構成する光量設定バー５１１、モニタ反射設定バー５１２、紙反射設定バー５１３、湿度設定バー５１４、および温度設定バー５１は、光源の光量、モニタや印刷用紙の反射程度、湿度、温度の程度を設定することによって、プルーフ画像および色見本それぞれに映り込む光の程度を定量的に設定するものである。光源や色見本やモニタの種類、壁や観察者の服の色、光源の光量、モニタや印刷用紙の反射程度、湿度、温度は、本発明にいう比較環境の一例にあたり、ユーザが設定用画面５００に従って観察条件を設定する操作は、本発明にいう「プルーフ画像と色見本との間の見た目の色の差を生じさせる程度を指定する指定操作」の一例に相当する。
【００５６】
尚、スライド設定部には、複数の観察条件が、プルーフ画像および色見本への光の映り込みの程度が大きい観察条件から順に並べられており、それらの観察条件を上から順にのみ設定可能となっている。また、光量設定バー５１１においては、バーの中心が標準環境条件下での光の映り込み程度を表わしており、操作子が右に移動されるほど光の映り込み程度が大きく、操作子が左に移動されるほど光の移り込み程度が小さく、標準環境条件下の光の映り込み程度Ｘに対して「Ｘ±Ａ」の範囲内の値に設定可能である。光量設定バー５１１で光の映り込み程度が「Ｘ１（Ｘ１＜Ｘ）」に設定されると、その設定された映り込み程度「Ｘ１」が次のモニタ反射バー５１２の中心に設定されて、モニタ反射バー５１２の両端の値が「Ｘ１±｜Ａ−Ｘ１｜／２」に設定され、表示画面３２ａの表面反射程度が設定される。以下、同様に、各バーでの光の映り込み程度が「Ｘｎ（Ｘｎ＜Ｘ）」に設定されると、その設定された映り込み程度「Ｘｎ」が次に設定されるバーの中心に設定されて、そのバーの両端の値が「Ｘｎ±｜Ａ−Ｘｎ｜／２」に設定される。
【００５７】
このように、画像への光の映り込み程度が大きい観察条件から先に設定されることによって、観察条件を精度良く設定することができる。
【００５８】
ユーザがマウス３４等を使ってポインタ５２０を移動させて、表示画面２３ａが設置された場所における環境や、色見本の印刷用紙の種類などを設定用画面５００を使って設定すると、設定内容が条件設定部２３０からプロファイル生成部２４０に伝えられる。条件設定部２３０は、本発明にいう程度指定受付部の一例に相当する。
【００５９】
プロファイル生成部２４０は、まず、システムに非依存な共通色空間であるＬ＊ａ＊ｂ＊色空間上の座標を、設定内容に応じて新たなＬ＊ａ＊ｂ＊色空間上の座標に変換するための環境条件関数を生成する。この環境条件関数は、条件設定部２３０において設定された観察環境条件を、予め決められている標準環境条件（この例では、気温２５℃、湿度２５％、所定光量ａの自然光の下で、壁色および観察者の服色が白である状態で表面の反射率ｂの媒体上の画像を観察する）に擬似的に補正する関数であり、初期関数として、Ｌ＊ａ＊ｂ＊色空間上の座標値を同じＬ＊ａ＊ｂ＊色空間上の座標値に変換する等価変換関数が生成される。
【００６０】
図６の光源種類設定部５０１において、「自然光」が設定された場合は、環境条件関数は変更されず、「白熱灯」が設定された場合には、環境条件関数が元の色の赤成分を抑えて青成分と緑成分とを増加させるように変更され、「蛍光灯」が設定された場合は、環境条件関数が元の色の赤成分を増加させるように変更され、「水銀灯」が設定された場合は、環境条件関数が元の色の赤成分を大幅に増加させるように変更される。
【００６１】
色見本紙種類設定部５０２において、「コーティングあり」が設定された場合は、環境条件関数が元の色の輝度を減少させるように変更され、「マッドコーティング」が設定された場合は、環境条件関数は変更されず、「コーティングなし」が設定された場合は、環境条件関数が元の色の輝度を増加させるように変更される。
【００６２】
モニタ種類設定部５０３において、「液晶」が設定された場合には、環境条件関数が元の色の輝度を減少させるように変更され、「ブラウン管」が設定された場合は、環境条件関数が元の色の輝度を増加させるように変更され、「フィルタあり」が設定された場合は、環境条件関数が変更されない。
【００６３】
壁色設定部５０５および観察者服色設定部５０６において、「白系」が設定された場合には、環境条件関数は変換されず、「黄色系」が設定された場合は、環境条件関数が元の色の黄色成分を減少させるように変更され、「赤系」が設定された場合は、環境条件関数が元の色の赤成分を減少させるように変更され、「青系」が設定された場合は、環境条件関数が元の色の青成分を減少させるように変更され、「黒系」が設定された場合は、環境条件関数が元の色の黒成分を減少させるように変更される。
【００６４】
光量設定バー５１１、モニタ反射設定バー５１２、紙反射設定バー５１３、湿度設定バー５１４、および温度設定バー５１を使って順次に、光源の光量、モニタの反射程度、印刷用紙の反射程度、湿度、温度が指定され、最終的に画像への光の映り込みの程度が「Ｙ＝基準環境条件下の光の映り込み程度Ｘ±Ｂ」に設定されると、その映り込み程度Ｙが基準環境条件下の映り込み程度Ｘに近づくように、環境条件関数が変更される。
【００６５】
以上のようにして、環境条件関数が算出される。
【００６６】
続いて、プロファイル生成部２４０では、予め取得されているプルーフプロファイル（ＲＧＢ色空間上の座標値とＬ＊ａ＊ｂ＊色空間上の座標値との対応）において、ＲＧＢ色空間上の各座標値と対応付けられているＬ＊ａ＊ｂ＊色空間上の各座標値が、算出された環境条件関数に従ってＬ＊ａ＊ｂ＊色空間上の各座標値に変換される。続いて、印刷プロファイル（ＣＭＹＫ色空間上の座標値とＬ＊ａ＊ｂ＊色空間上の座標値との対応）において、変換後のＬ＊ａ＊ｂ＊色空間上の各座標値と対応付けられたＣＭＹＫ色空間上の座標値が取得され、ＣＭＹＫ色空間上の各座標値とＲＧＢ色空間上の各座標値とが対応付けられて環境プロファイルが生成される。この生成された環境プロファイルは、ＣＭＹＫ色空間上の座標値を、観察条件による見え方への影響を抑えて、色見本上でその座標値が表わす色が表示画面３２ａ上で精度良く再現されるような、ＲＧＢ色空間上の座標に変換するものであり、本発明にいう第３の対応関係の一例に相当する。生成された環境プロファイルは、保存部２６０に保存される。
【００６７】
図１に示す印刷工程のパーソナルコンピュータ３０Ｄにおいて印刷画像データが生成されると、その印刷画像データは各工程のパーソナルコンピュータ３０Ａ，３０Ｂ，３０Ｃに伝えられる。
【００６８】
パーソナルコンピュータ３０Ａ，３０Ｂ，３０Ｃに伝えられた印刷画像データは、図４の画像取得部２１０で取得される（図５のステップＳ５）。画像取得部２１０は、本発明にいう画像データ取得部の一例に相当する。取得された印刷画像データは、色変換部２２０に伝えられる。
【００６９】
色変換部２２０では、保存部２６０に保存された環境プロファイルを使って、ＣＭＹＫ色空間の印刷画像データが、ＲＧＢ色空間の表示画像データに変換される（図５のステップＳ６）。環境プロファイルが用いられることによって、ＣＭＹＫ色空間の画像データがＲＧＢ色空間の画像データに変換されるとともに、印刷用紙上に印刷された色見本の色と、表示画面上に表示されるプルーフ画像の色とが同じ観察条件下で同じ色に見えるように、印刷画像データを表示画像データに色変換される。色変換部２２０は、本発明にいうデータ変換部の一例にあたる。また、プロファイル生成部２４０は、環境プロファイルを生成することによって色変換部２２０における色変換を調整するものであり、本発明にいう変換調整部の一例に相当する。生成された表示画像データは、画像表示部２５０に伝えられる。
【００７０】
画像表示部２５０では、表示画像データに基づいて、図１に示す表示画面３２ａ上にプルーフ画像が表示される（図５のステップＳ７）。
【００７１】
パーソナルコンピュータ３０のユーザは、表示画面３２ａ上に表示されたプルーフ画像の色が色見本の色を再現しているか否かを目視で確認する。プルーフ画像の色が色見本の色を精度良く再現していないと判断した場合や、プルーフ画像の色を変更したい場合は（図５のステップＳ８：Ｎｏ）、ユーザは撮影工程、編集工程、および印刷工程のユーザに向けて色補正指示を伝える。撮影工程、編集工程、および印刷工程のユーザは、各工程に設置されたパーソナルコンピュータ３０Ｂ，３０Ｃ，３０Ｄ上に表示されたプルーフ画像を確認し、パーソナルコンピュータ３０Ｂ，３０Ｃ，３０Ｄを使って、撮影工程における色分解画像データ、編集工程におけるページデータ、および印刷工程における印刷画像データに色補正処理を施す。色補正処理後の印刷画像データは、再び各パーソナルコンピュータ３０Ａ，３０Ｂ，３０Ｃ，３０Ｄに伝えられる。
【００７２】
パーソナルコンピュータ３０では、図４に示す画像取得部２１０で印刷画像データが取得され（図５のステップＳ５）、色変換部２２０において印刷画像データが表示画像データに変換され（図５のステップＳ６）、画像表示部２５０において表示画像データが表わすプルーフ画像が表示されて（図５のステップＳ７）、プルーフ画像の色と色見本の色とが比較される。
【００７３】
以上のような、印刷画像データに色補正処理が施されて新たな印刷画像データが取得され（図５のステップＳ５）、印刷画像データが表示画像データに変換され（図５のステップＳ６）、表示画像データが表わすプルーフ画像が表示され（図５のステップＳ７）、色見本の色とプルーフ画像の色とが比較される一連の処理が、全ての工程のユーザによって、プルーフ画像の色が色見本の色を再現していることが確認されるまで繰り返される（図５のステップＳ８）。
【００７４】
最終的に決定された印刷画像データは、印刷機１０に伝えられて、印刷画像が生成される。
【００７５】
このように、本実施形態によると、各工程のユーザが、擬似的に同じ環境条件下で、印刷機１０で印刷される印刷画像の色が精度良く再現されたプルーフ画像を事前に確認することができ、損紙の発生を抑えることができる。
【００７６】
また、本実施形態においては、観察環境の違いが簡易な環境条件関数によって表現されるため、環境プロファイルのデータサイズの増加を抑えることができ、現実的に印刷システムに流用することができる。
【００７７】
ここで、上記では、ＣＭＹＫ４色のインキで画像の色を表現する印刷システムの例について説明したが、本発明にいう印刷システムは、ＣＭＹＫと特色を加えた４色以上のインキで画像の色を表現するものであってもよい。
【００７８】
また、上記では、ＲＧＢ３色の組み合わせで画像の色を表現する表示システムの例について説明したが、本発明にいう表示システムは、ＲＧＢ以外のＬ＊，ａ＊，ｂ＊などで画像の色を表現するものであってもよい。
【００７９】
また、上記では、観察環境要素として、光源や色見本の用紙の種類、壁色、観察者服色、光量、モニタ反射率、色見本の用紙の反射率、湿度、温度などといった要素における光の映り込み程度を設定する例について説明したが、本発明にいう程度指定受付部は、例えば、色見本の裏色、インクの種類、プルーフプロファイルや印刷プロファイルの作成精度、表示画面のキャリブレーション精度、表示画面の色再現精度、印刷用紙やインクの経時変化、表示画面の経時変化、表示画面の面内の光量むら、表示画面の表面角度、表示画面の起動繰り返し再現性、プルーフ画像を表示させるビューアの経時変化、ビューアの輝度調整による繰り返し再現性、ビューアの機種差など、色見本およびプルーフ画像それぞれに対する見え方への影響の程度が相互に異なる要素を指定するものであればよい。
【００８０】
また、上記では、「デジタルカメラから入力される色分解画像データ」、「カラーパッチの測色値」、「プロファイル生成部２４０で生成されるプロファイル中のシステムに非依存の共通色空間（本発明にいう第３の色空間）の座標」などがＬ＊ａ＊ｂ＊色空間で表現される例について説明したが、これらが表現される色空間は、デバイスに独立（非依存）な色空間であればよく、例えば、Ｌｕｖ色空間やＸＹＺ色空間などであってもよい。
【図面の簡単な説明】
【００８１】
【図１】本発明の一実施形態が組み込まれた表示・印刷システムの全体構成図である。
【図２】パーソナルコンピュータのハードウェア構成図である。
【図３】ＣＤ−ＲＯＭを示す概念図である。
【図４】画像表示装置の機能ブロック図である。
【図５】印刷画像データに基づいたプルーフ画像が表示されるまでの一連の処理の流れを示すフローチャート図である。
【図６】設定用画面の一例を示す図である。
【符号の説明】
【００８２】
１    表示・印刷システム
１０    印刷機
２０    インターネット回線
３０Ａ，３０Ｂ，３０Ｃ，３０Ｄ    パーソナルコンピュータ
３１    本体装置
３２    モニタ表示装置
３３    キーボード
３４    マウス
３０１    ＣＰＵ
３０２    主メモリ
３０３    ハードディスク装置
３０４    ＦＤドライブ
３０５    ＣＤ−ＲＯＭドライブ
３０６    Ｉ／Ｏインタフェース
１００    画像表示プログラム
１１０    画像取得部
１２０    色変換部
１３０    条件設定部
１４０    プロファイル生成部
１５０    画像表示部
２００    画像表示装置
２１０    画像取得部
２２０    色変換部
２３０    条件設定部
２４０    プロファイル生成部
２５０    画像表示部
２６０    保存部
【図１】
2009117991.tif 000003
【図２】
2009117991.tif 000004
【図３】
2009117991.tif 000005
【図４】
2009117991.tif 000006
【図５】
2009117991.tif 000007
【図６】
2009117991.tif 000008